(57)【要約】【課題】ルーバーを任意の開度に回動し、ロックさせ、ルーバーの回動操作を容易にするルーバー回動装置を提供することを目的とする。【解決手段】扉枠間に複数個のルーバーを平行状に配置し、扉枠内に収容したキャップを各ルーバーの端部に嵌め、前記各キャップを連結板で連結し、前記キャップの中の一つをピニオンキャップに選定し、扉枠の屋内側に案内部材を固定し、案内部材内に前記ピニオンギアと噛み合うラックギアを備えたスライド部材を摺動自在に設け、スライド部材を摺動させてルーバーを回動させるようにしたルーバー回動装置とした。【選択図】　図５
2004052386.tif 000002
【特許請求の範囲】
【請求項１】
扉枠間に複数個のルーバーを平行状に配置し、扉枠内に収容したキャップを各ルーバーの端部に嵌め、前記各キャップを連結板で連結し、前記キャップの中の一つをピニオンキャップに選定し、扉枠の屋内側に案内部材を固定し、案内部材内に前記ピニオンギアと噛み合うラックギアを備えたスライド部材を摺動自在に設け、スライド部材を摺動させてルーバーを回動させるようにしたルーバー回動装置。
【請求項２】
案内部材は内面を開放した筐体で、側内面に波形ストッパーを連ねて形成し、スライド部材の側面に前記ストッパーに係合する、先端に突起を有する舌片を形成し、舌片の対向する箇所に窪みを凹設したストッパーを付勢してスライド部材内に設け、任意の波形ストッパーの位置で舌片の突起と係合させてロックしあるいはロックを解除し、ルーバーを任意の開度に設定できるようにした請求項１記載のルーバー回動装置。
【発明の詳細な説明】
【０００１】
【発明の属する技術分野】
本発明は、ルーバー回動装置に関するものである。
【０００２】
【従来の技術】
従来のルーバー回動装置としては、ルーバーの回動状態をルーバーに取付けたレバーを扉枠に穿設した位置決め孔に挿入させるようにしたものがある。
【０００３】
【発明が解決しようとする課題】
従来のルーバー回動装置には、ルーバーを任意の開度に回動し、ロックさせ、ルーバーの回動操作を容易にすることが求められている。
【０００４】
【課題を解決するための手段】
そこで、本発明は、上記の事情に鑑み、ルーバーを任意の開度に回動し、ロックさせ、ルーバーの回動操作を容易にすべく、扉枠間に複数個のルーバーを平行状に配置し、扉枠内に収容したキャップを各ルーバーの端部に嵌め、前記各キャップを連結板で連結し、前記キャップの中の一つをピニオンキャップに選定し、扉枠の屋内側に案内部材を固定し、案内部材内に前記ピニオンギアと噛み合うラックギアを備えたスライド部材を摺動自在に設け、スライド部材を摺動させてルーバーを回動させるようにしたルーバー回動装置とした。
【０００５】
また、本発明は、ルーバーを任意に開度に設定できるようにすべく、案内部材は内面を開放した筐体で、側内面に波形ストッパーを連ねて形成し、スライド部材の側面に前記ストッパーに係合する、先端に突起を有する舌片を形成し、舌片の対向する箇所に窪みを凹設したストッパーを付勢してスライド部材内に設け、任意の波形ストッパーの位置で舌片の突起と係合させてロックしあるいはロックを解除し、ルーバーを任意の開度に設定できるようにした。
【０００６】
【発明の実施の態様】
本発明の実施例を、添付図面に基づいて以下詳細に説明する。
【０００７】
図１は、折り畳み方式の面格子の背面図であって、上枠１と下枠２とのそれぞれの両端を連結する縦枠３・３とがあり、その四角枠内には扉４が折り畳み方式で左右に折り畳み可能に設けられている。各々の扉４にはルーバー５を配置し、扉４の外側の扉枠６には上下にそれぞれ図２に示すようにルーバー回動ユニット７を設け、中央の扉枠８にも上下にそれぞれ回動ユニット７を設けて、レバー２３の操作により上下半分ずつのルーバー５を回動可能としている。また、中央の扉枠８には折り畳み扉の図３に示す解錠ユニット９をそれぞれ設け、扉４の解錠、施錠を行っている。
【０００８】
まず、面格子のルーバー回動装置のルーバー５の開度角度を任意に設定できる機構について述べる。
【０００９】
図４は平断面図、図５は縦断面図で、図に向かって左側が屋外側で、右側が屋内側である。
【００１０】
図１に示すように、扉４の外側の扉枠６と中央の扉枠８とに複数個のルーバー５を平行状に架設して回動自在に設ける。図４に示すように、それぞれのルーバー５の端部を扉枠６内に位置させたピニオンキャップ１０の軸部１１に挟持させる。図５に示すように、複数個のルーバー５の端部にキャップ１２を位置させ、挟持させてルーバー５と連結し、扉枠６内に垂設した２本の連結板１５にピン１６でそれぞれ連結し、連結板１５の上下動により複数個のルーバー５が同時に回動するように設定する。複数個のキャップ１２の中から１個をピニオンキャップ１０に選定する。
【００１１】
この連結板１５の上下動は、ピニオンキャップ１０と噛み合うラックギア１７により行う。ラックギア１７は、スライド部材２０の上部の屋外側に位置させて駆動する。スライド部材２０は、扉枠６の屋内側にネジ４１で螺締した案内部材４２内を摺動する。スライド部材２０の案内部材４２内の摺動およびロックはレバー２３により行う。
【００１２】
図６に、案内部材４２、スライド部材２０、レバー２３、コイルスプリング３３およびストッパー３２の詳細な斜視図を示す。
【００１３】
案内部材４２は内部にスライド部材２０を摺動自在に収容し、内面を開放した筐体で、扉枠６に取付けるためのネジ４１の挿通孔２４を上下にそれぞれ穿設している。また、内両側にはスライド部材２０の舌片２５の突起２６を係合させて、スライド部材２０を任意の位置でロックさせる複数個の波形ストッパー２７を連ねて形成する。この案内部材４２の外面にはレバー２３の先端部２９が移動可能なるように窓孔２８を開設する。
【００１４】
スライド部材２０は案内部材４２内を摺動するので、内面（屋外側）上部にはラックギア１７を内方に向けて設け、このラックギア１７とピニオンキャップ１０とを噛み合わせて、スライド部材２０の上下動によりラックギア１７の回動によりルーバー５を回動させる。
【００１５】
スライド部材２０外面にレバー２３の先端突出部２９をガイドする、下面が開放した角状案内筒３０を突出させる。
【００１６】
スライド部材２０の一側面には案内部材４２の側内面の波形ストッパー２７に係合してスライド部材２０をロックさせる舌片２５を形成するために、Ｕ字溝３１を刻設し、舌片２５の先端の外面には突起２６を膨出させる。この突起２６を波形ストッパー２７に係合させスライド部材２０を係合させてスライド部材２０をロックさせる。
【００１７】
前記突起２６の波形ストッパー２７への係合を保持したり、あるいは係合を解除したりするストッパー３２と、そのストッパー３２を上方に向けて付勢するコイルスプリング３３とを収容する空所３４を、スライド部材２０の中央から下部にかけて設ける。
【００１８】
レバー２３の狭幅に形成した先端部２９は、スライド部材２０の角状案内筒３０内を摺動し、先端部２９には長溝３５を刻設し、四角案内筒３０の挿通孔３６と先端部２９の長溝３５とにロールピン３７を嵌め、レバー２３を屋外側に向けて一定範囲で押し込み、あるいは屋内側に向けて引込み可能としている。レバー２３を屋外側へ押し込むことにより、ストッパー３２を押し下げ舌片２６の突起２６の波形ストッパー２７への係合が外れてスライド部材２０は自由に摺動でき、ルーバー５の開度を任意に設定できる。一方、レバー２３を屋内側へ引き込むことにより、ストッパー３２は押し上げられ舌片２５の突起２６の波形ストッパー２７への係合がロックされてスライド部材２０は移動できず、ルーバー５の開度は定まった角度に保持される。
【００１９】
図７は、ルーバー回動ユニット７の組立て斜視図で、案内部材４２の窓孔２８内に角状案内筒３０を嵌め、案内部材４２内にスライド部材２０を摺動自在に収容し、スライド部材２０にはコイルスプリング３３とコイルスプリング３３で上方に向けて付勢されたストッパー３２を収容し、スライド部材２０にはレバー２３を連結する。
【００２０】
次に、この面格子のルーバー回動装置の作動について説明する。
【００２１】
図８、図９に示すように、レバー２３を水平方向で屋外側へ押し込むと、レバー２３の先端部２９によりストッパー３２をコイルスプリング３３の付勢力に抗して下方に押し下げ、スライド部材２０の舌片２５の突起２６の案内部材１９の波形ストッパー２７への係合が外れる。通常は舌片２５の突起２６が波形ストッパー２７へ係合し、スライド部材２０はロック状態でルーバー５は定まった開度に固定されている（図４、図５の状態）。また、ストッパー３２がスライド部材２０内で下方に向けて移動すると、舌片２５がスライド部材２０の中心部に向けての変位が可能となり、波形ストッパー２７への係合が外れるように窪み３５を凹設してある。すなわち、レバー２３の先端部２９が押し込まれてストッパー３５が下方に移動すると、舌片２５はストッパー３２の窪み３５内への変位を可能とし、波形ストッパー２７へ突起２６の係合が外れるように設定してある。スライド部材２０を案内部材４２内で摺動させると、スライド部材２０と一体成形されたラックギア１７に伝達され、ラックギア１７を回動し、連結板１５を介してルーバー５を回動させる。
【００２２】
スライド部材２０の舌片２５の突起２６を、波形ストッパー２７に係合させて、スライダー部材２０をロックしてルーバー５の開度を固定できる。波形ストッパー２７の任意の位置に舌片２５の突起２６を係合させることにより、ルーバー５の任意の開度の固定が可能となる。
【００２３】
レバー２３を手前に引き戻すと、ストッパー３２はコイルスプリング３３の付勢力により上方に移動し、舌片２５の窪み３５側への変位が許されず、ルーバー５の開度は固定される。
【００２４】
本発明では、ラックギア１７とピニオンキャップ１０との噛み合わせと、２本の連結板１５とによりルーバー５を回動させるので、回動操作が円滑である。
【００２５】
図１０は、ルーバー５とピニオンキャップ１０と連結板１５の分解斜視図で、図１１はルーバー５をピニオンキャップ１０の軸部１１に挟持させ、２本のピン１６をそれぞれ連結板１５の挿通孔４３に挿入して固定し、扉枠６との関連を示した斜視図である。
【００２６】
【発明の効果】
本発明は、上述のように、扉枠間に複数個のルーバーを平行状に配置し、扉枠内に収容したキャップを各ルーバーの端部に嵌め、前記各キャップを連結板で連結し、前記キャップの中の一つをピニオンキャップに選定し、扉枠の屋内側に案内部材を固定し、案内部材内に前記ピニオンギアと噛み合うラックギアを備えたスライド部材を摺動自在に設け、スライド部材を摺動させてルーバーを回動させるようにしたルーバー回動装置であるので、ルーバーを任意の開度に回動しロックさせ、ルーバーの回動操作を容易にできる。
【００２７】
また、本発明は、案内部材は内面を開放した筐体で、側内面に波形ストッパーを連ねて形成し、スライド部材の側面に前記ストッパーに係合する、先端に突起を有する舌片を形成し、舌片の対向する箇所に窪みを凹設したストッパーを付勢してスライド部材内に設け、任意の波形ストッパーの位置で舌片の突起と係合させてロックしあるいはロックを解除し、ルーバーを任意の開度に設定できるようにしたルーバー回動装置であるので、ルーバーを任意の開度に設定できる。
【図面の簡単な説明】
【図１】ルーバー回動ユニットと解錠ユニットとを装備した面格子の背面図である。
【図２】ルーバー回動ユニットの正面図である。
【図３】解錠ユニットの正面図である。
【図４】ルーバー回動ユニットの詳細を示す（ルーバー開度固定）平面図である。
【図５】ルーバー回動ユニットの詳細を示す（ルーバー開度固定）側面図である。
【図６】ルーバー回動ユニットの分解斜視図である。
【図７】ルーバー回動ユニットの斜視図である。
【図８】ルーバー回動ユニットの詳細を示す（ルーバー開度可変）平面図である。
【図９】ルーバー回動ユニットの詳細を示す（ルーバー開度可変）側面図である。
【図１０】ルーバーとピニオンキャップと連結板の分解斜視図である。
【図１１】ルーバーとピニオンキャップと連結板とを組立て、扉枠との関連を示す斜視図である。
【符号の説明】
６・８…扉枠
５…ルーバー
１０…キャップ
１５…連結板
１２…ピニオンキャップ
１９…案内部材
２０…スライド部材
２７…波形ストッパー
３２…ストッパー
２６…突起
２５…舌片
【図１】
2004052386.tif 000003
【図２】
2004052386.tif 000004
【図３】
2004052386.tif 000005
【図４】
2004052386.tif 000006
【図５】
2004052386.tif 000007
【図６】
2004052386.tif 000008
【図７】
2004052386.tif 000009
【図８】
2004052386.tif 000010
【図９】
2004052386.tif 000011
【図１０】
2004052386.tif 000012
【図１１】
2004052386.tif 000013